(57)【要約】【課題】ユーザが着信を必要としない状況にある場合にまで不要な位置登録の処理が実施されてしまうことを抑制した移動通信端末及びその制御方法を提案する。【解決手段】モニタ１０２と、モニタ１０２の点灯状態を検出する点灯検出部１０３と、点灯検出部１０３によって検出されたモニタ１０２の点灯状態に応じてネットワークへの位置登録を実施すべきか抑制すべきかを判定する判定部１０４と、判定部１０４が位置登録を実施すべきと判定した場合、判定部１０４が位置登録を抑制すべきと判定した場合よりも高い頻度で位置登録要求を送信する送信部１１０とを具備する。これにより、ユーザが移動通信端末のモニタを視認している可能性が高いか否かを、位置登録を実施する頻度に反映することができる。【選択図】図1
2014057123.tif 000002
【特許請求の範囲】
【請求項１】
モニタと、
前記モニタの点灯状態を検出する検出手段と、
前記検出手段によって検出された前記モニタの点灯状態に応じてネットワークへの位置登録を実施すべきか抑制すべきかを判定する判定手段と、
前記判定手段が位置登録を実施すべきと判定した場合、前記判定手段が位置登録を抑制すべきと判定した場合よりも高い頻度で位置登録要求を送信する送信手段と
を具備する移動通信端末。
【請求項２】
前記検出手段は、前記モニタが消灯されているか否かを検出し、
前記判定手段は、前記モタが消灯されている場合には、前記位置登録を抑制すべきと判定する請求項１に記載の移動通信端末。
【請求項３】
前記検出手段は、前記移動通信端末がスリープモードであるか否かを検出し、
前記判定手段は、前記移動通信端末がスリープモードである場合には、前記位置登録を抑制すべきと判定する、
請求項１に記載の移動通信端末。
【請求項４】
バッテリーと、
前記バッテリーの残量を検出する検出手段と、
前記検出手段によって検出された前記バッテリーの残量に応じてネットワークへの位置登録を実施すべきか抑制すべきかを判定する判定手段と、
前記判定手段が位置登録を実施すべきと判定した場合、前記判定手段が位置登録を抑制すべきと判定した場合よりも高い頻度で位置登録要求を送信する送信手段と
を具備する移動通信端末。
【請求項５】
前記検出手段は、バッテリーの残量が所定の閾値未満であるか否か検出し、
前記判定部は、前記バッテリーの残量が前記閾値未満であるには、前記位置登録を抑制すべきと判定する
請求項４に記載の移動通信端末。
【請求項６】
前記判定部は、更に、ネットワークとの通信が必要な操作を受け付けた場合には、前記バッテリーの残量に関わらず、前記位置登録を実施すべきと判定する
請求項５に記載の移動通信端末。
【請求項７】
外部機器とデータ通信可能な接続を行う接続手段と、
前記接続手段による前記外部機器との接続状態を検出する検出手段と、
前記検出手段によって検出された前記接続状態に応じてネットワークへの位置登録を実施すべきか抑制すべきかを判定する判定手段と、
前記判定手段が位置登録を実施すべきと判定した場合、前記判定手段が位置登録を抑制すべきと判定した場合よりも高い頻度で位置登録要求を送信する送信手段と
を具備する移動通信端末。
【請求項８】
前記検出手段は、前記移動通信端末と外部機器とが接続されているか切断されているかを検出し、
前記判定部は、前記移動通信端末が前記外部機器と接続されている場合に、前記位置登録を抑制すべきと判定する
請求項７に記載の移動通信端末。
【請求項９】
前記検出手段は、前記移動通信端末が外部機器との間でプリザベーション状態にあるか否かを検出し、
前記判定部は、前記プリザベーション状態にある場合に、前記位置登録を抑制すべきと判定する
請求項７に記載の移動通信端末。
【請求項１０】
前記判定部は、更に、前記移動通信端末が、ネットワークとの通信が必要な操作を受け付けた場合には、前記プリザベーション状態にあるか否かに関わらず、前記位置登録を実施すべきと判定する
請求項９に記載の移動通信端末。
【請求項１１】
前記移動通信端末は、更に、前記位置登録を実施しなくても受信可能な信号を、前記判定部が前記位置登録を抑制すべきと判定しているか否かに関わらず、所定の頻度で受信する受信手段を備える
請求項１、請求項４、請求項７のいずれか１項に記載の移動通信端末。
【請求項１２】
位置登録を実施しなくても受信可能な信号は、ページングチャネルである、請求項１１に記載の移動通信端末。
【請求項１３】
前記送信手段は、
前記判定手段が位置登録を実施すべきと判定した場合、所定の周期が経過するごとに前記位置登録要求を送信し、かつ、
前記判定手段の判定結果が、前記位置登録を抑制すべき旨から実施すべき旨に切り替わった場合、前記所定の周期が経過していなくても前記位置登録要求を送信する
請求項１、請求項４、請求項７のいずれか１項に記載の移動通信端末。
【請求項１４】
前記移動通信端末は、更に、
前記移動通信端末が在圏しているエリアを解析するエリア解析部を備え、
前記送信手段は、前記判定手段が位置登録を実施すべきと判定した場合、在圏しているエリアが変更されるごとに前記位置登録要求を送信し、かつ、
前記判定手段の判定結果が、前記位置登録を抑制すべき旨から実施すべき旨に切り替わった場合、前記エリアが変更されていなくても前記位置登録要求を送信する
請求項１、請求項４、請求項７のいずれか１項に記載の移動通信端末。
【請求項１５】
前記送信手段は、前記判定手段が前記位置登録を抑制すべきと判定した場合、前記判定手段が前記位置登録を実施すべきと判定するまで前記位置登録要求の送信を保留する
請求項１、請求項４、請求項７のいずれか１項に記載の移動通信端末。
【請求項１６】
モニタを備える移動通信端末の制御方法であって、
前記モニタの点灯状態を検出する検出ステップと、
前記検出手段によって検出された前記モニタの点灯状態に応じてネットワークへの位置登録を実施すべきか抑制すべきかを判定する判定ステップと、
前記判定手段が位置登録を実施すべきと判定した場合、前記判定手段が位置登録を抑制すべきと判定した場合よりも高い頻度で位置登録要求を送信する送信ステップと
を具備する制御方法。
【請求項１７】
バッテリーを備える移動通信端末の制御方法であって、
前記バッテリーの残量を検出する検出ステップと、
前記検出手段によって検出された前記バッテリーの残量に応じてネットワークへの位置登録を実施すべきか抑制すべきかを判定する判定ステップと、
前記判定手段が位置登録を実施すべきと判定した場合、前記判定手段が位置登録を抑制すべきと判定した場合よりも高い頻度で位置登録要求を送信する送信ステップと
を具備する制御方法。
【請求項１８】
外部機器とデータ通信可能な接続を行う接続手段を備える移動通信端末の制御方法であって、
前記接続手段による前記外部機器との接続状態を検出する検出ステップと、
前記検出手段によって検出された前記接続状態に応じてネットワークへの位置登録を実施すべきか抑制すべきかを判定する判定ステップと、
前記判定手段が位置登録を実施すべきと判定した場合、前記判定手段が位置登録を抑制すべきと判定した場合よりも高い頻度で位置登録要求を送信する送信ステップと
を具備する制御方法。
【発明の詳細な説明】
【技術分野】
【０００１】
本発明は、移動通信端末の位置登録に関するものである。
【背景技術】
【０００２】
スマートフォン、タブレット端末等の移動通信端末は、待受け中、位置登録処理を実施する。位置登録処理は、移動通信端末が自身の在圏するエリアをネットワークに通知して着信を受付可能とするために必要な処理であり、定期的もしくは移動通信端末の在圏するエリアの移動に伴って実施される。
【０００３】
位置登録処理に関する技術として、例えば、特許文献１に記載のものがある。特許文献１には、移動通信端末が充電台に載置されている場合には、在圏するエリアが固定されていると判断し、不要な位置登録処理を停止する技術が開示されている。
【先行技術文献】
【特許文献】
【０００４】
【特許文献１】特許第４０３２１９４号公報
【発明の概要】
【発明が解決しようとする課題】
【０００５】
移動通信端末の使用態様の多様化に伴い、移動通信端末が着信を必要としない場合が増えてきている。例えば、移動通信端末をノートブックコンピュータのような外部機器と接続してパケット通信を行う（テザリングを行う）場合、使用態様はインターネットブラウジングまたはプル型の電子メールであり、着信を必要としない。
【０００６】
しかしながら、特許文献１に記載の技術では、位置登録を実施すべきか否かは移動通信端末が充電台に載置されているか否かで判断されており、移動通信端末が着信を必要としない状況にあるか否かという判断はなされていなかった。そのため、ユーザが着信を必要としない場合にまで不要な位置登録の処理が実施してしまうことがあった。
【０００７】
そこで、ユーザが着信を必要としない状況にある場合に位置登録を抑制することのできる移動通信端末、および、その制御方法を提案する。
【課題を解決するための手段】
【０００８】
上記課題を解決するため、本発明の１つの側面に係る移動通信端末は、モニタと、モニタの点灯状態を検出する検出手段と、検出手段によって検出されたモニタの点灯状態に応じてネットワークへの位置登録を実施すべきか抑制すべきかを判定する判定手段と、判定手段が位置登録を実施すべきと判定した場合、判定手段が位置登録を抑制すべきと判定した場合よりも高い頻度で位置登録要求を送信する送信手段とを具備する。
【０００９】
また、本発明の他の側面に係る移動通信端末は、バッテリーと、バッテリーの残量を検出する検出手段と、検出手段によって検出されたバッテリーの残量に応じてネットワークへの位置登録を実施すべきか抑制すべきかを判定する判定手段と、判定手段が位置登録を実施すべきと判定した場合、判定手段が位置登録を抑制すべきと判定した場合よりも高い頻度で位置登録要求を送信する送信手段とを具備する。
【００１０】
また、本発明の他の側面に係る移動通信端末は、外部機器とデータ通信可能な接続を行う接続手段と、接続手段による外部機器との接続状態を検出する検出手段と、検出手段によって検出された接続状態に応じてネットワークへの位置登録を実施すべきか抑制すべきかを判定する判定手段と、判定手段が位置登録を実施すべきと判定した場合、判定手段が位置登録を抑制すべきと判定した場合よりも高い頻度で位置登録要求を送信する送信手段とを具備する。
【発明の効果】
【００１１】
本発明の１つの側面に係る移動通信端末は、モニタの点灯状態に応じて位置登録要求を送信する頻度を切り替える。
【００１２】
このように、モニタの点灯状態を考慮することにより、ユーザが移動通信端末のモニタを視認している可能性が高いか否かを、位置登録を実施する頻度に反映することができる。したがって、移動通信端末は、着信を必要としない状況にある場合に位置登録を抑制することができる。
【００１３】
また、本発明の他の側面に係る移動通信端末は、バッテリーの残量に応じて位置登録要求を送信する頻度を切り替える。
【００１４】
このように、モニタの点灯状態を考慮することにより、ユーザが着信よりも電池持ちを優先している可能性が高いか否かを、位置登録を実施する頻度に反映することができる。したがって、着信を必要としない状況にある場合に位置登録を抑制することができる。
【００１５】
また、本発明の他の側面に係る移動通信端末は、外部機器との接続状態を、位置登録を実施する頻度に反映することができる。したがって、ユーザが外部機器を主体として使用しており移動通信端末自身の着信に着目していない可能性が高いか否かを、位置登録を実施する頻度に反映することができる。したがって、着信を必要としない状況にある場合に位置登録を抑制することができる。
【図面の簡単な説明】
【００１６】
【図１】本発明の実施の形態１における移動通信端末の構成図
【図２】本発明の実施の形態２における移動通信端末の構成図
【図３】本発明の実施の形態３における移動通信端末の構成図
【図４】本発明の実施の形態１における位置登録の抑止処理の流れ図
【図５】本発明の実施の形態２における位置登録の抑止処理の流れ図
【図６】本発明の実施の形態３における位置登録の抑止処理の流れ図
【発明を実施するための形態】
【００１７】
以下に、本発明の実施の形態について、図面を参照しながら説明する。
【００１８】
（実施の形態１）
本発明の実施の形態１における移動通信端末の構成を、図１を用いて説明する。
【００１９】
図１において、移動通信端末１００は、モニタ１０２と、バックライト１０１と、点灯検出部１０３と、判定部１０４と、位置登録部１０５ａと、タイマ１０５ｂと、エリア解析部１０８と、送信部１１０と、受信部１０７と、アンテナ１０６と、入力部１０９とを備える。
【００２０】
モニタ１０２は、例えば液晶ディスプレイであり、少なくとも移動通信端末１００の操作に用いる画像を表示する機能を持つ。
【００２１】
バックライト１０１は、モニタ１０２の光源であり、例えばＬＥＤから構成される。
【００２２】
点灯検出部１０３は、バックライト１０１の点灯状態、例えば、バックライト１０１が消灯しているか点灯しているかを検出する。点灯検出部１０３は、例えば、バックライト１０１に流れる電流の検知回路や、バックライト１０１の発光を検知するセンサ等によって実現することができる。また、点灯検出部１０３は、バックライト１０１の点灯状態を直接的に検出するものに限られず、例えば、ユーザの行った操作や設定から間接的にバックライト１０１の点灯状態を検出するとしてもよい。
【００２３】
判定部１０４は、点灯検出部１０３が検出したバックライト１０１の点灯状態に応じて、位置登録を実施すべきか保留すべきかを判定する。より具体的には、判定部１０４は、バックライト１０１の消灯時には位置登録を抑制すべきと判定する。また、バックライト１０１の点灯時には位置登録を実施すべきと判定する。また、判定部１０４は、点灯検出部１０３によって、バックライト１０１が消灯状態から点灯状態へ切り替わったことが検出された場合にはその旨を判定部１０４に通知する。
【００２４】
位置登録部１０５ａは、判定部１０４が位置登録を実施すべきと判定している場合に、後述するタイマ１０５ｂが満了するか、後述するエリア解析部１０８が移動通信端末１００の在圏するエリアの変更を検出すると、位置登録を要求する信号（以下、位置登録要求と呼ぶ）を送信する。また、位置登録部１０５ａは、判定部１０４が位置登録を抑制すべきと判定している場合、タイマ１０５ｂの満了もしくはエリア解析部１０８の検出結果に関わらず、位置登録要求の送信を保留する。更に、位置登録部１０５ａは、バックライト１０１が消灯状態から点灯状態に切り替わった場合には、タイマ１０５ｂの満了もしくは在圏するエリアの変更を待たずに位置登録要求を送信する。
【００２５】
タイマ１０５ｂは、一定の周期ごとに位置登録部１０５ａに対してタイマが満了した旨を通知することで、位置登録要求を送信すべきタイミングを位置登録部１０５ａに通知する。
【００２６】
エリア解析部１０８は、移動通信端末１００が在圏しているエリアを検出する。エリアの検出は、例えば、ネットワークからの報知信号を、移動通信端末１００がサポートしている通信規格に応じた手順で解析すること等によって実現される。より具体的には、報知信号に含まれるエリアを示す識別子を確認することで行う。なお、本明細書における「在圏」とは、特に断らない限りそのエリアを管理する基地局等からの信号を受信できることを意味する。すなわち、そのエリアを管理するネットワークに位置登録を行っていない状態を含むものとする。
【００２７】
送信部１１０は、位置登録部１０５ａから送信される位置登録要求および移動通信端末１００が外部に送信すべき各信号に対して、移動通信端末１００が使用する通信規格に従った変調等の送信処理を行う。
【００２８】
受信部１０７は、外部から受信される信号の復調等の受信処理を行う。
【００２９】
アンテナ１０６は、送信部１１０により送信処理がなされた信号を外部へ送信し、また、受信部１０７にて受信処理されるべき信号を外部から受信する。なお、アンテナ１０６は複数本備えられていても良いし、送信と受信で別々のアンテナが使用されても良い。
【００３０】
入力部１０９は、移動通信端末１００に対するユーザからの入力を受け付ける部分であり、具体的には操作キーやタッチパネル、音声入力の受信部等である。なお、入力部１０９としてタッチパネル等を用いる場合には、入力部１０９はモニタ１０２と一体に構成されることもある。
【００３１】
また、移動通信端末１００は、上述した各処理部の他に、移動通信端末１００の各種機能を実現するための構成を備えるが、本実施の形態が着目している位置登録に係る処理との関連が薄いので詳細な説明は省略する。
【００３２】
次に、図１および図４を用いて、本実施の形態における位置登録の抑止処理について説明する。なお、以下では、移動通信端末１００の動作のうち、本実施の形態に係る位置登録に関する動作の例を説明する。移動通信端末１００が、以下で説明する以外にも、移動通信端末１００自身に実装された各機能を実現するための動作を行っていることは言うまでもない。
【００３３】
まず、移動通信端末１００の点灯検出部１０３がバックライト１０１の点灯状態を検出する（ステップＳ４０１）。
【００３４】
点灯検出部１０３がバックライト１０１の消灯を検出した場合、判定部１０４が位置登録を保留すべきと判定する（ステップＳ４０１のＹｅｓ）。
【００３５】
判定部１０４が位置登録を抑制すべきと版定位した場合、位置登録部１０５ａは位置登録の抑止を開始する（ステップＳ４０２）。より具体的には、エリア変更もしくはタイマの満了があっても位置登録要求を送信しない状態に移行する。位置登録部１０５ａは、この状態で、エリア解析部１０８によるエリア変更の検出もしくはタイマ１０５ｂの満了が検出されたか否かを確認する（Ｓ４０４以降の動作を行う）。なお、以下では、エリア変更の検出もしくはタイマ１０５ｂの満了を「位置登録の契機」と呼ぶ。
【００３６】
また、バックライト１０１が消灯されていない場合、判定部１０４は、バックライト１０１が点灯された直後、すなわち、点灯検出部１０３の検出結果が消灯状態から点灯状態へ切り替わったか否かを判定する。（ステップＳ４０３）。バックライトが点灯直後ではないとは判定された場合、すなわち、バックライトが点灯され続けている場合（ステップＳ４０３のＮｏ）、位置登録部１０５ａは位置登録の契機を待って位置登録を実施する（ステップＳ４０４以降の動作を行う）。一方、点灯直後であると判定された場合、位置登録部１０５ａは、位置登録の契機を待たず位置登録を実施する（ステップＳ４０６を経てステップＳ４０７以降の動作を行う）。
【００３７】
続いてステップＳ４０４以降の動作について説明する。
【００３８】
位置登録部１０５ｂは位置登録の契機が検出されたか否かを確認する（ステップＳ４０４）。
【００３９】
位置登録の契機が検出されなかった場合、移動通信端末１００の動作はステップＳ４０１に戻る。
【００４０】
一方、位置登録の契機が検出された場合、移動通信端末１００の動作は位置登録が抑止中であるか否かに応じて分岐する（ステップＳ４０５）。位置登録の契機が検出された際に位置登録が抑止中であれば（ステップＳ４０５のＹｅｓ）、位置登録部１０５ａは位置登録要求を送信ぜず、移動通信端末１００の動作はステップＳ４０１に戻る。また、位置登録の契機が検出された際に位置登録が抑止中でなければ（ステップＳ４０５のＮｏ）、位置登録部１０５ａは位置登録要求を送信して位置登録を実施する（ステップＳ４０７）。
【００４１】
続いて、ステップＳ４０７以降に示す位置登録が実施された場合の動作について説明する。
【００４２】
位置登録が実施された場合（ステップＳ４０７）、移動通信端末１００は、前回位置登録が実施された後にサーバに蓄積されたメール等の受信すべき情報を確認する（ステップＳ４０８）。なお、本実施の形態では、このようなサーバに滞留している受信すべき情報を滞留情報と呼ぶ。滞留情報が存在する場合（ステップＳ４０８のＹｅｓ）移動通信端末１００は滞留情報を受信した後、ステップＳ４０１からの動作を繰り返す。また、滞留情報が存在しない場合（ステップＳ４０８のＮｏ）、移動通信端末１００はステップＳ４０１からの動作を繰り返す。
【００４３】
以上で本実施の形態に係る移動通信端末１００の動作説明を終了する。
【００４４】
本実施の形態によれば、移動通信端末１００は、バックライト１０１が消灯されている場合に位置登録を抑制する。ここで、バックライト１０１が消灯されている場合、ユーザは移動通信端末１００の表示内容を確認していない可能性が高いため、メール等を随時着信する必要性は乏しいと考えられる。したがって、移動通信端末１００は、このような場合に位置登録を抑制することで、着信が必要ない場合に位置登録を抑制することができる。なお、位置登録の処理を行う場合、移動通信端末１００は位置登録要求をネットワークに送信するため電力を消費し、また、通信リソースを使用する。したがって、不要な位置登録を抑制することで、移動通信端末１００による通信リソースの無駄遣いの抑制、もしくは、消費電力の低減の少なくとも一方の効果が得られることを期待できる。
【００４５】
また、１０５位置登録部は、バックライト１０１が消灯された状態から点灯された場合に、タイマ１０５ｂの満了もしくは在圏するエリアの変更を待たずに位置登録要求を送信する。したがって、位置登録が保留されていた間に滞留していたメール等をバックライト１０１が点灯してから短い遅延で受信することができる。これにより、ユーザは、位置登録の処理が保留されていたことによって滞留していたメール等を、移動通信端末１００の利用の再開とほぼ同時に取得することができる。
【００４６】
なお、本実施の形態では、判定部１０４は、バックライト１０１の点灯および消灯を基に位置登録を実施すべきか保留すべきかを判定していたが、これに限られるものではない。例えば、バックライト１０１の輝度が所定の閾値よりも低いか高いかに応じて位置登録を実施すべきか保留すべきかを判断しても良い。この場合、点灯検出部１０３が検出するバックライト１０１の点灯状態は、バックライト１０１の輝度の変化となる。
【００４７】
また、判定部１０４による判定の対象はバックライト１０１の点灯状態に限られるものではない。例えば、移動通信端末１００がスリープモードで動作している場合には位置登録を抑制すべきと判定し、スリープモードが解除された場合には位置登録を実施すべきと判断しても良い。この場合も、バックライト１０１の点灯状態に基づいて判定を行う場合と同様の効果を得ることができる。
【００４８】
また、点灯検出部１０３は、バックライト１０１の現在の状態を判定部１０４に定期的に通知するとしても良いし、バックライト１０１の消灯・点灯の状態が切り替わった場合のみバックライト１０１の現在の状態を判定部１０４に通知するとしても良い。すなわち、判定部１０４が、バックライト１０１の点灯状態を確認することができれば、通知の方法は問わない。
【００４９】
また、モニタ１０２が有機ＥＬディスプレイのような自己発光するものである場合、バックライト１０１自体が存在しないことがあり得る。このような場合、点灯検出部１０３はバックライト１０１の点灯状態に替えてモニタ１０２の発光状態を検知すればよく、移行の処理および効果はバックライト１０１がある場合と同様である。つまり、本明細書の点灯検出部１０３は、モニタの点灯状態、すなわち、モニタが明るく見えるか否かを検出できればよく、バックライト１０１の点灯状態および（自己発光型の場合の）モニタ１０２の発光状態のいずれを検出してもよい。点灯検出部１０３が検出すべきこれらの状態を包括して「モニタの点灯状態」と呼ぶ。
【００５０】
（実施の形態２）
本発明の実施の形態２における移動通信端末２００の構成を、図２を用いて説明する。なお、実施の形態１と同じ構成部分については、同一の符号を付し、詳細な説明を省略する。
【００５１】
実施の形態２における移動通信端末２００は、実施の形態１における移動通信端末１００と異なる構成として、バッテリー２０１と、残量検出部２０２と、判定部２０３と、位置登録部２０４とを備える。
【００５２】
バッテリー２０１は、移動通信端末２００を構成する各処理部に対して電力を供給する電池であり、具体的には、リチウムイオン電池等の二次電池である。
【００５３】
残量検出部２０２は、例えば、バッテリー２０１から出力される電流や電圧に基づいて、バッテリー２０１の残量を検出する。また、残量検出部２０２は、バッテリーの残量が所定の閾値をまたがって変動した場合、バッテリー残量が閾値未満となったか、または閾値以上となったかを判定部２０３に通知する。なお、閾値は固定的に定められた値であっても良いし、ユーザが入力部１０９を介して設定することができるとしても良い。
【００５４】
判定部２０３は、バッテリー残量が閾値未満となったか閾値以上となったかに応じて位置登録を抑制すべきか実施すべきかを判定する。具体的には、判定部２０３は、バッテリー残量が閾値未満である場合には位置登録を抑制すべきと判定し、バッテリー残量が閾値以上である場合には位置登録を実施すべきと判定する。また、判定部２０３は、バッテリー残量が閾値未満から閾値以上に変化した場合には即座に位置登録を実施すべきと判定する。さらに、判定部２０３は、入力部１０９がユーザからの入力を受け付けた場合には、バッテリー残量に関わらず位置登録を実施すべきと判定する。
【００５５】
位置登録部２０４は、実施の形態１と同様、判定部２０３が位置登録を実施すべきと判定している場合に、タイマ１０５ｂが満了するか、エリア解析部１０８が在圏するエリアの変更を検出すると、位置登録要求を送信する。また、位置登録部２０４は、判定部２０３が位置登録を抑制すべきと判定している場合、タイマ１０５ｂの満了もしくはエリア解析部１０８の検出結果に関わらず、位置登録要求の送信を保留する。更に、位置登録部２０４は、バッテリー２０１の残量が閾値未満から閾値以上になった場合に、タイマ１０５ｂの満了もしくは在圏するエリアの変更を待たずに位置登録要求を送信する。更に、位置登録部２０４は、入力部１０９がユーザからの入力を受け付けた場合にも、タイマ１０５ｂの満了もしくは在圏するエリアの変更を待たずに位置登録要求を送信する。
【００５６】
次に、図２と図５を用いて、本発明の実施の形態２における位置登録の抑止処理について説明する。なお、以下では、移動通信端末２００の動作のうち、本実施の形態に係る位置登録に関する動作の例を説明する。移動通信端末２００が、以下で説明する以外にも、移動通信端末２００自身に実装された各機能を実現するための動作を行っていることは言うまでもない。
【００５７】
本実施の形態に係る移動通信端末２００の位置登録に関する動作では、まず、残量検出部２０２によりバッテリー２０１の残量が閾値未満であるか否かが検出される（ステップＳ５０１）。
【００５８】
残量検出部２０２が、バッテリー２０１の残量が閾値未満であることを検出すると、判定部２０３が位置登録を抑制すべきと判定する（ステップＳ５０１のＹｅｓ）。
【００５９】
この判定結果を受け、位置登録部２０４は位置登録の抑止を開始する（ステップＳ５０２）。より具体的には、位置登録部２０４は、エリア変更もしくはタイマの満了があっても位置登録要求を送信しない状態に移行し、位置登録の契機が検出されたか否かの確認に移る（ステップＳ５１０のＮｏを経てステップＳ５０４以降の動作を行う）。ただし、位置登録部２０４は、通信要求があった場合には（ステップＳ５１０のＹｅｓ）、即座に位置登録の抑止を解除し、位置登録の契機が検出されたか否かの確認を行わずに位置登録を実施する（ステップＳ５０６以降の動作を行う）。
【００６０】
一方、バッテリー２０１の残量が閾値以上である場合（ステップＳ５０１のＹｅｓ）、判定部２０３は、バッテリー２０１の残量が閾値を跨いで変化したか否か、すなわち、判定部２０３は、バッテリー２０１の残量が閾値未満から閾値以上に変化したかを判定する（ステップＳ５０３）。判定部２０３はバッテリー２０１の残量が閾値を跨いで変化したか否かに関わらず位置登録を実施すべきと判定するが、バッテリー２０１の残量が閾値を跨いで変化したか否かに応じて位置登録部２０４が位置登録を実施すべきタイミングが変化する。バッテリー２０１の残量が閾値を跨いで変化していない場合、すなわち、バッテリー２０１の残量が閾値以上の状態が継続している場合（ステップＳ５０３のＮｏ）は、位置登録部２０４は、位置登録の契機が検出されてから位置登録を実施する（ステップＳ５０４以降の動作を行う）。一方、閾値を跨いで変化した場合、位置登録部２０４は、位置登録の契機が検出されたか否かの判断を行わずに位置登録を実施する（ステップＳ５０６以降の動作を行う）。
【００６１】
続いてステップＳ５０４以降の動作について説明する。
【００６２】
位置登録部２０４は、位置登録の契機が検出されたか否かを確認する（ステップＳ５０４）。
【００６３】
位置登録の契機が検出されなかった場合、移動通信端末１００の動作はステップＳ５０１に戻る。
【００６４】
一方、位置登録の契機が検出された場合、位置登録が抑止中であるか否かに応じて動作を切り替える（ステップＳ５０５）。
【００６５】
位置登録の契機が検出された際に位置登録が抑止中であれば（ステップＳ５０５のＹｅｓ）、位置登録部１０５ａは位置登録要求を送信ぜず、移動通信端末２００の動作はステップＳ５０１に戻る。また、位置登録の契機が検出された際に位置登録が抑止中でなければ（ステップＳ５０５のＮｏ）、位置登録部２０４は位置登録要求を送信して位置登録を実施する（ステップＳ５０７）。
【００６６】
続いて、ステップＳ５０６以降の動作について説明する。
【００６７】
バッテリー２０１の残量が閾値を跨いで変化した場合、位置登録部２０４は、位置登録の抑止を解除する（ステップＳ５０６）。この場合、位置登録部２０４は、位置登録の契機を待たずに即座に位置登録要求を送信して位置登録を実施する（ステップＳ５０７）。
【００６８】
続いて、ステップＳ５０７以降に示す位置登録が実施された場合の動作について説明する。
【００６９】
位置登録が実施された場合（ステップＳ５０７）、移動通信端末２００は、前回位置登録が実施された後にサーバに蓄積された滞留情報の有無を確認する（Ｓ５０８）。滞留情報が存在する場合（ステップＳ５０８のＹｅｓ）、移動通信端末１００は滞留情報を受信した後、ステップＳ５０１からの動作を繰り返す。また、滞留情報が存在しない場合（ステップＳ５０８のＮｏ）、移動通信端末２００はステップＳ５０１からの動作を繰り返す。
【００７０】
以上で本実施の形態に係る移動通信端末２００の動作説明を終了する。
【００７１】
本実施の形態によれば、判定部２０３は、バッテリーの残量が所定の閾値未満である場合には位置登録を抑制する。したがって、バッテリーの残量が少ない場合の消費電力を抑えることができる。その結果、他の使用状況が同じであれば移動通信端末１００の稼働時間を延ばすこともできる。
【００７２】
また、本実施の形態によれば、判定部２０３は、入力部１０９がユーザからの入力を受け付けた場合に、バッテリーの残量に関わらず位置登録を実施すべきと判定する。これにより、ユーザが移動通信端末１００を操作しており、情報を確認する意図があると推測される場合に着信できなくなってしまうことを防ぐことができる。
【００７３】
なお、判定部２０３は、特に入力部１０９が発信要求を受け付けた場合に、バッテリーの残量に関わらず位置登録を実施すべきと判定し、他の入力があった場合にはバッテリーの残量に応じて位置登録を実施すべきか保留すべきか判定するとしても良い。このようにすることで、移動通信端末１００は、ユーザが発信を行う意図がある場合には移動通信端末１００にて着信も受付け可能にすることができる。したがって、発信できるが着信ができないという状態の発生を抑えることができ、ユーザの意図と移動通信端末１００の実際の状態とのギャップを抑えることができる。
【００７４】
また、判定部２０３は、ユーザからの入力が、移動通信端末１００がローカルでアクセスしているデータの編集など、ネットワークとの通信を要しない操作である場合には位置登録を抑制すべきと判定しても良い。これにより、ユーザが通信を行う意図がない場合に位置登録が実施されることを防ぐことができ、移動通信端末１００の消費電力を抑えることができる。
【００７５】
また、位置登録部２０４は、バッテリー２０１の残量が閾値未満から閾値以上になった場合に、タイマ１０５ｂの満了もしくは在圏するエリアの変更を待たずに位置登録要求を送信する。したがって、位置登録が保留されていた間に滞留していたメール等をバッテリー２０１の残量に余裕ができてから短い遅延で受信することができる。
【００７６】
また、本実施の形態では、残量検出部２０２は、バッテリー２０１の残量が閾値を跨いで変化した場合に通知を行ったが、これに限られるものではない。残量検出部２０２は、現在のバッテリー残量を示す情報を定期的に判定部２０３に通知する等としてもよい。すなわち、判定部２０３にてバッテリー残量が閾値未満であるか閾値以上であるかが判定できれば、バッテリー残量を通知する方法は問わない。
【００７７】
また、本実施の形態では、判定部２０３が判定に用いる閾値は１つであったが、複数の閾値を設けても良い。例えば、充電時と非充電時で異なる閾値を使用しても良い。例えば、充電中の場合には位置登録を実施しても移動通信端末１００の使用可能時間等には大きな影響はないものと考えられる。したがって、バッテリー２０１の残量が少なくとも位置登録を実施されるよう、非充電時よりも閾値を下げても良い。また、この場合、充電台に載置されているか、携帯型の充電器で充電されているかによって閾値を異ならせても良い。充電台に載置されている場合には、移動通信端末１００は位置が固定されている場合が多いと考えられる。したがって、このような場合には、位置登録が保留され易くなるよう、非充電時もしくは携帯型の充電器で充電されている場合よりも閾値を高く設定するとしてもよい。
【００７８】
（実施の形態３）
本発明の実施の形態３における移動通信端末２００ａの構成を、図３を用いて説明する。なお、実施の形態１と同じ構成部分については同じ符号を付し、詳細な説明を省略する。
【００７９】
本実施の形態に係る移動通信端末２００ａは、実施の形態１の移動通信端末１００の構成と異なる構成として、外部ＩＦ部２０１ａと、プリザベーション検出部２０３ａと、接続検出部２０２ａと、判定部２０４ａと、位置登録部２０５ａとを備える。
【００８０】
外部ＩＦ部２０１ａは、移動通信端末２００ａと異なる外部機器２０６ａとの接続に用いる通信インタフェースであり、具体的には、ＵＳＢ（Ｕｎｉｖｅｒｓａｌ  Ｓｅｒｉａｌ  Ｂｕｓ）やＬＡＮケーブルの接続口である。なお、外部ＩＦ部２０１ａは有線接続用のインタフェースに限らず、無線ＬＡＮや近距離無線通信の通信部等、無線接続用のインタフェースであってもよい。また、外部機器２０６ａは、例えばノートブックコンピュータ等であるが、移動通信端末２００ａと接続可能なものであれば、どのような装置であって構わない。なお、本実施の形態で「接続」とは外部機器２０６ａとのデータ通信が可能な接続のことを指し、充電機能しか持たない接続などは含まないものとする。
【００８１】
プリザベーション検出部２０３ａは、移動通信端末２００ａが外部機器２０６ａとの間でプリザベーション状態にあるか否かを検出し、検出結果を２０４判定部に通知する。ここで、プリザベーションとは、一定時間、データ通信が行われない場合にパケットのセッションを維持した状態で無線リソースを解放する機能のことを意味する。
【００８２】
接続検出部２０２ａは、外部ＩＦ部２０１ａが、外部機器２０６ａと接続されているか否かを検出し、検出結果を判定部２０４ａに通知する。
【００８３】
判定部２０４ａは、接続検出部２０２ａとプリザベーション検出部２０３ａとからの通知に基づいて位置登録処理を実施すべきか保留すべきかを判定する。具体的には、判定部２０４ａは、接続検出部２０２ａが外部機器２０６ａとの接続を検出し、かつプリザベーション検出部２０３ａがプリザベーション状態を検出している場合には、位置登録を抑制すべきと判定する。また、外部機器２０６ａと接続されておらず、もしくは、プリザベーション状態でない場合には、位置登録を実施すべきと判定する。また、判定部２０４ａは、外部機器２０６ａとの接続が接続状態から切断されたか否か、および、移動通信端末２００ａがプリザベーション状態からプリザベーション状態の解除された状態に移行した否かを判定する。更に、判定部２０４ａは、外部機器２０６ａから外部ＩＦ部２０１ａを介して保留解除の指示を受け付けた場合、プリザベーション状態であるか否かに関わらず、位置登録を実施すべきと判定する。外部機器２０６ａが、例えばノートブックコンピュータである場合には、保留解除の指示は、外部機器２０６ａに備えられたキーボード、マウス、またはタッチパネルを介して行われる。
【００８４】
位置登録部２０５ａは、実施の形態１と同様、判定部２０４ａが位置登録を実施すべきと判定している場合に、タイマ１０５ｂが満了するか、エリア解析部１０８が在圏するエリアの変更を検出すると、位置登録要求を送信する。また、位置登録部２０５ａは、判定部２０４ａが位置登録を抑制すべきと判定している場合、タイマ１０５ｂの満了もしくはエリア解析部１０８の検出結果に関わらず、位置登録要求の送信を保留する。更に、位置登録部２０５ａは、外部機器２０６ａとの接続が接続状態から切断された場合、もしくは、移動通信端末２００ａがプリザベーション状態からプリザベーション状態の解除された状態に移行した場合に、タイマ１０５ｂの満了もしくは在圏するエリアの変更を待たずに位置登録要求を送信する。
【００８５】
次に図３と図６を用いて、本発明の実施の形態３における位置登録の抑止処理について説明する。なお、以下では、移動通信端末２００ａの動作のうち、本実施の形態に係る位置登録に関する動作の例を説明する。移動通信端末２００ａが、以下で説明する以外にも、移動通信端末２００ａ自身に実装された各機能を実現するための動作を行っていることは言うまでもない。
【００８６】
本実施の形態に係る移動通信端末２００ａの位置登録に関する動作では、まず、接続検出部２０２ａにより外部機器２０６ａとの接続されているか否かを検出し、かつプリザベーション検出部２０３ａによりプリザベーション状態であるか否かを検出する（ステップＳ６０１）。接続検出部２０２ａが接続を検出し、かつ、プリザベーション検出部２０３ａがプリザベーション状態を検出すると、判定部２０４ａが位置登録を抑止すべきと判定する（ステップＳ６０１のＹｅｓ）。
【００８７】
この判定結果を受け、位置登録部２０５ａは位置登録の抑止を開始する（ステップＳ６０２）。より具体的には、位置登録部２０５ａは、エリア変更もしくはタイマの満了があっても位置登録要求を送信しない状態に移行し、位置登録の契機が検出されたか否かの確認に移る（ステップＳ６１０のＮｏを経てステップＳ６０４以降の動作を行う）。ただし、位置登録部２０５ａは、保留状態の解除の指示があった場合には（ステップＳ６１０のＹｅｓ）、即座に位置登録の抑止を解除し、位置登録の契機が検出されたか否かの確認を行わずに位置登録を実施する（ステップＳ６０６以降の動作を行う）。
【００８８】
一方、移動通信端末２００ａが外部機器と接続中でなく、もしくは、プリザベーション状態にない場合（ステップＳ６０１のＹｅｓ）、判定部２０４ａは、外部機器との接続の切断直後もしくはプリザベーション状態が解除された直後であるか否かを判定する（ステップＳ６０３）。ここで、切断直後とは外部機器との接続が接続状態から切断されたかことを示し、また、プリザベーション状態が解除された直後とは、移動通信端末２００ａが、プリザベーション状態からプリザベーションの解除された状態に移行したことを示す。判定部２０４ａは切断直後もしくはプリザベーション状態が解除された直後であるか否かに関わらず位置登録を実施すべきと判定するが、切断直後であるか否かもしくはプリザベーション状態が解除された直後であるか否かに応じて位置登録部２０５ａが位置登録を実施すべきタイミングが変化する。切断直後もしくはプリザベーション状態が解除された直後でない場合、すなわち、切断もしくはプリザベーションが解除された状態が継続している場合（ステップＳ６０３のＮｏ）は、位置登録部２０５ａは、位置登録の契機が検出されてから位置登録を実施する（ステップＳ６０４以降の動作を行う）。一方、切断直後もしくはプリザベーション状態が解除された直後である場合、位置登録部２０５ａは、位置登録の契機が検出されたか否かの判断を行わずに位置登録を実施する（ステップＳ６０６以降の動作を行う）。
【００８９】
続いてステップＳ６０４以降の動作について説明する。
【００９０】
位置登録部５０４は、位置登録の契機が検出されたか否かを確認する（ステップＳ６０４）。
【００９１】
位置登録の契機が検出されなかった場合、移動通信端末１００の動作はステップＳ６０１に戻る。
【００９２】
一方、位置登録の契機が検出された場合、位置登録が抑止中であるか否かに応じて動作を切り替える（ステップＳ６０５）。位置登録の契機が検出された際に位置登録が抑止中であれば（ステップＳ６０５のＹｅｓ）、位置登録部１０５ａは位置登録要求を送信ぜず、移動通信端末２００ａの動作はステップＳ６０１に戻る。また、位置登録の契機が検出された際に位置登録が抑止中でなければ（ステップＳ６０５のＮｏ）、位置登録部２０５ａは位置登録要求を送信して位置登録を実施する（ステップＳ６０７）。
【００９３】
続いて、ステップＳ６０６以降の動作について説明する。
【００９４】
バッテリー２０１の残量が閾値を跨いで変化した場合、位置登録部２０５ａは、位置登録の抑止を解除する（ステップＳ６０６）。この場合、位置登録部２０５ａは、位置登録の契機を待たずに即座に位置登録要求を送信して位置登録を実施する（ステップＳ６０７）。
【００９５】
続いて、ステップＳ６０７以降に示す位置登録が実施された場合の動作について説明する。
【００９６】
位置登録が実施された場合（ステップＳ６０７）、移動通信端末２００ａは、前回位置登録が実施された後にサーバに蓄積された滞留情報の有無を確認する（Ｓ６０８）。滞留情報が存在する場合（ステップＳ６０８のＹｅｓ）、移動通信端末１００は滞留情報を受信した後、ステップＳ６０１からの動作を繰り返す。また、滞留情報が存在しない場合（ステップＳ６０８のＮｏ）、移動通信端末２００ａはステップＳ６０１からの動作を繰り返す。
【００９７】
以上で本実施の形態に係る移動通信端末２００ａの動作説明を終了する。
【００９８】
本実施の形態によれば、判定部２０４ａは、移動通信端末２００ａが外部機器２０６ａと接続されている場合には位置登録を抑制すべきと判定する。したがって、テザリングの実施中など、移動通信端末２００ａ自身に対する着信を受け付ける必要性が乏しい場合に、位置登録を抑制し、消費電力を抑えることができる。
【００９９】
また、判定部２０４ａは、移動通信端末２００ａがプリザベーション状態にある場合には、位置登録を抑制すべきと判定する。プリザベーション状態では、無線リソースが解放されておりユーザデータを受信することができないため、位置登録を行って着信を受け付ける必要性が乏しい。したがって、移動通信端末２００ａ自身に対する着信を受け付ける必要性が乏しい場合に、位置登録を抑制し、消費電力を抑えることができる。
【０１００】
また、判定部２０４ａは、移動通信端末２００ａが外部機器２０６ａと接続されている場合には、位置登録を抑制すべきと判定する。移動通信端末２００ａが外部機器２０６ａと接続されている場合には、ユーザはテザリングを実施している可能性がある。テザリング中には、ユーザの注意は外部近畿２０６ａに向かっており、移動通信端末２００ａ自身の着信に対してユーザの注意が向いていない可能性が高い。したがって、移動通信端末２００ａ自身に対する着信を受け付ける必要性が乏しい場合に、位置登録を抑制し、消費電力を抑えることができる。
【０１０１】
なお、本実施の形態では、外部機器２０６ａと接続されているか否か及び移動通信端末２００ａがプリザベーション状態にあるか否かの両方を判定しているが、これに限られるものではない。いずれか一方のみに基づいて判定するとしてもよい。
【０１０２】
また、判定部２０４ａは、外部機器２０６ａから保留解除の指示があった場合には、プリザベーション状態に関わらず、位置登録を実施すべきと判定する。したがって、ユーザは、テザリングの実施中においても必要に応じて、移動通信端末２００ａの着信を受け付けることができる。
【０１０３】
また、位置登録部２０５ａは、外部機器２０６ａとの接続が切断された場合もしくはプリザベーション状態が解除された場合に、タイマ１０５ｂの満了もしくは在圏するエリアの変更を待たずに位置登録要求を送信する。したがって、テザリング等が終了した後、短い遅延で、滞留していたメール等を受信することができる。これにより、ユーザが移動通信端末２００ａの利用を再開した際、滞留していたメール等を再開とほぼ同時に取得することができる。
【０１０４】
また、判定部２０４ａは、外部機器２０６ａから移動通信端末２００ａに対して保留解除の入力があった場合、プリザベーション状態に関わらず、位置登録を実施すべきと判定する。このようにすることで、移動通信端末２００ａは、ユーザが移動通信端末２００ａ自身に対する着信を実施する意図がある場合には移動通信端末２００ａにて着信も受付け可能にすることができる。
【０１０５】
また、判定部２０４ａは、外部機器２０６ａから移動通信端末２００に対して発信要求が入力された場合、プリザベーション状態に関わらず、位置登録を実施すべきと判定するように攻勢しても良い。このようにすることで、移動通信端末２００ａは、ユーザが移動通信端末２００ａによる発信を行う意図がある場合には移動通信端末２００ａにて着信も受付け可能にすることができる。したがって、移動通信端末２００ａから発信できるが着信ができないという状態の発生を抑えることができ、ユーザの意図と移動通信端末２００ａの実際の状態とのギャップを抑えることができる。
【０１０６】
（実施の形態の変形例）
以上、本発明の各実施の形態を説明したが、本発明は、これに限られるものではない。以下の各変形例も本発明に含まれる。
【０１０７】
上述した各移動通信端末の構成のうち、アンテナやモニタ等の具体的な構成や大きさが限定される部分以外は、１または複数の電気回路で実現されてもよいし、ソフトウェアとして実現されても良い。
【０１０８】
実施の形態２、３およびその変形例において、判定部は、発信要求を受け付けた場合には位置登録を実施すべきと判定していたが、これに限られるものではない。移動通信端末１００による通信が必要な指示を受け付けた場合にも、位置登録を実施すべきと判定しても良く、発信要求はこのような指示の一例に過ぎない。この場合も、実施の形態２及び３と同様、ユーザの意図と移動通信端末の実際の状態との間のギャップを押さえることができる。また、実施の形態１においても、発信要求及び１００移動端末による通信が必要な他の指示を受け付けた場合に位置登録を実施すべきと判定しても良い。ただし、実施の形態１の場合は、指示を受け付ける際、その指示の入力を補助するためバックライト１０１が点灯させられることが多い。したがって、改めてこのような場合の動作を実装しなくても移動通信端末の動作は、同様のものとなることが多い。
【０１０９】
実施の形態１〜３において、受信部は、位置登録を行わなくても受信可能な信号については判定部の判定結果に関わらず受信処理を行うとしてもよい。この構成によれば、位置登録を抑制にしつつも必要な情報を受信することができる。位置登録を行わなくても受信可能な信号の例としては、例えばページングチャネルで送られる信号が挙げられる。特に、ページングチャネルでは緊急地震速報等の緊急時の報知も行われるため、これを判定部の判定結果に関わらず受信可能としておくことは有益である。
【０１１０】
実施の形態１〜３では、位置登録部が、判定部の判定結果に従って位置登録要求を送信するか否かを切り替える構成としたが、これに限られるものではない。位置登録部は、判定部の判定結果に関わらず位置登録要求を生成し、判定部が送信部等の他の部分に対して位置登録要求の出力を許可もしくは保留を指示する構成としてもよい。また、判定部の判定結果に応じてタイマもしくはエリア解析部の動作を停止させたり、再開させたりする構成にしても構わない。すなわち、ネットワークに対して位置登録要求が送信されるか保留されるかが、判定部の判定結果に応じて切り替わる構成であればよく、移動通信端末のどの処理部にて位置登録要求の送信または保留が実現されるかは問わない。
【０１１１】
また、実施の形態１〜３では、判定部は各基準にしたがって位置登録を実施すべきか保留すべきかを判定していたが、これに限られるものではない。例えば、判定部は、位置登録を実施する頻度を変えても良い。この場合、位置登録を抑制する場合と同様の効果が期待でき、また、位置登録を完全にやめるわけではないため、着信も実施することができるという効果が得られる。例えば、実施の形態１では、バックライト１０１が消灯している場合にはバックライト１０１が点灯している場合よりも位置登録を実施する頻度を下げる。また、例えば、実施の形態２ではバッテリー残量が閾値未満であればバッテリー残量が閾値以上である場合よりも位置登録を実施する頻度を下げる。また、例えば、実施の形態３では外部機器２０６ａと接続されていないかプリザベーション状態にない場合には、外部機器２０６ａと接続されており、かつ、プリザベーション状態になる場合よりも位置登録を実施する頻度を下げる。ここで、頻度の増減は、例えば、タイマの満了する間隔を長くすることで実現できる。このように、位置登録の頻度を下げる場合、および、実施の形態１〜３で示したように位置登録を抑制にする場合を含めて、位置登録を抑制すると呼ぶ。
【０１１２】
実施の形態１〜３にて示した判定部の判定の一部又は全てを同時に実装しても良い。例えば、移動通信端末の判定部が、各実施の形態にて示した全ての基準それぞれに基づいて位置登録を実施すべきか保留すべきかを判定するとしても良い。
【０１１３】
上記実施の形態及び上記変形例をそれぞれ組み合わせるとしてもよい。
【産業上の利用可能性】
【０１１４】
本発明は、基地局に対して位置登録を実施する移動通信端末等において好適である。
【符号の説明】
【０１１５】
１００    移動通信端末
１０１    モニタ
１０２    バックライト
１０３    点灯検出部
１０４    判定部
１０５ａ    位置登録部
１０５ｂ    タイマ
１０６    アンテナ
１０７    受信部
１０８    エリア情報解析部
１０９    入力部
１１０    送信部
２００    移動通信端末
２０１    バッテリー
２０２    残量検出部
２０３    判定部
２０４    位置登録部
２００ａ    移動通信端末
２０１ａ    外部ＩＦ部
２０２ａ    接続検出部
２０３ａ    プリザベーション検出部
２０４ａ    判定部
２０５ａ    位置登録部
２０６ａ    外部機器
【図１】
2014057123.tif 000003
【図２】
2014057123.tif 000004
【図３】
2014057123.tif 000005
【図４】
2014057123.tif 000006
【図５】
2014057123.tif 000007
【図６】
2014057123.tif 000008